(57)【要約】【課題】紙幣施封装置において、集積不良の発生時に施封処理を中止することなく、そのリカバリを行う手段を提供する。【解決手段】施封する単位枚数の紙幣Ｐを集積する一時集積部１５と、単位枚数の紙幣Ｐを結束して排出する施封部２５と、一時集積部１５に集積された単位枚数の紙幣Ｐを一時集積部１５から施封部２５へ移送する移送部２０とを備えた紙幣施封装置１に、集積された単位枚数の紙幣Ｐの集積状態を検出する集積状態検出センサ２３と、この集積状態検出センサ２３により集積異常が検出された単位枚数の紙幣Ｐを再分離する再分離部３０と、再分離部により再分離された紙幣Ｐを一時集積部１５へ搬送する再集積搬送路とを設ける。【選択図】        図２
2008059049.tif 000002
【特許請求の範囲】
【請求項１】
施封する単位枚数の媒体を集積する一時集積部と、単位枚数の媒体を結束して排出する施封部と、前記一時集積部に集積された単位枚数の媒体を一時集積部から前記施封部へ移送する移送部とを備えた媒体施封装置において、
前記集積された単位枚数の媒体の集積状態を検出する集積状態検出センサと、該集積状態検出センサにより集積異常が検出された単位枚数の媒体を再分離する再分離部と、該再分離部により再分離された媒体を前記一時集積部へ搬送する再集積搬送路とを設けたことを特徴とする媒体施封装置。
【請求項２】
請求項１において、
前記集積異常の原因となった媒体を集積するリジェクト庫を設け、
前記再分離部に、前記単位枚数の媒体の外形形状により集積異常の原因となった媒体を検出する外形異常検出センサを設けたことを特徴とする媒体施封装置。
【請求項３】
請求項１において、
前記集積異常の原因となった媒体を返却する返却媒体集積部を設け、
前記再分離部に、前記単位枚数の媒体の外形形状により集積異常の原因となった媒体を検出する外形異常検出センサを設けたことを特徴とする媒体施封装置。
【請求項４】
請求項２または請求項３において、
前記再集積搬送路に、媒体の搬送方向の長さにより集積異常の原因となった媒体を検出する長さ異常検出センサを設けたことを特徴とする媒体施封装置。
【発明の詳細な説明】
【技術分野】
【０００１】
本発明は、紙幣施封装置に代表される、紙幣やカード、チケット等の媒体を単位枚数で施封して媒体束を作成する媒体施封装置に関する。
【背景技術】
【０００２】
従来の紙幣施封装置は、投入口に投入された紙幣を、１枚毎に繰出して鑑別部で金種および正損等の鑑別や、搬送異常の認識を行い、搬送異常と認識された紙幣はリジェクト庫へ集積し、正常な紙幣は複数の一時集積部に金種別に集積し、一つの一時集積部に集積された紙幣が単位枚数（１００枚）になったときに集積動作を一旦停止し、その一時集積部の単位枚数の紙幣を紙幣群のまま抜取り、抜取り後に集積動作を再開すると共に、抜取った紙幣群を一時集積部から施封部へ移送し、移送された紙幣群を紙帯で結束して紙幣束を作成している（例えば、特許文献１参照。）。
【特許文献１】特開２００２−１９７５０９号公報（主に第３頁段落０００７−第５頁段落００２８、第６頁段落００３６、第１図）
【発明の開示】
【発明が解決しようとする課題】
【０００３】
しかしながら、上述した従来の技術においては、紙幣を複数の一時集積部に金種別に集積し、一つの一時集積部に単位枚数の紙幣が集積された度毎に、その紙幣群を抜取って施封部へ移送し、紙帯で結束して紙幣束を作成しているため、紙幣群に、スキュー等による紙幣のはみ出し等の集積異常がある場合には、結束不良が発生するという問題がある。
このため、一般に、集積異常が発生した場合には、施封処理を中止して係員がその紙幣群を取り出し、取り出した紙幣群を投入口に再投入して紙幣群の再処理を行うことが行われており、施封処理における処理時間が増加し、紙幣施封装置の稼動効率が低下するという問題がある。
【０００４】
また、係員は紙幣施封装置が施封処理を行っている間は、その付近に駐在していなければならず、係員の負担が増大するという問題がある。
本発明は、上記の問題点を解決するためになされたもので、媒体施封装置において、集積不良の発生時に施封処理を中止することなく、そのリカバリを行う手段を提供することを目的とする。
【課題を解決するための手段】
【０００５】
本発明は、上記課題を解決するために、施封する単位枚数の媒体を集積する一時集積部と、単位枚数の媒体を結束して排出する施封部と、前記一時集積部に集積された単位枚数の媒体を一時集積部から前記施封部へ移送する移送部とを備えた媒体施封装置において、前記集積された単位枚数の媒体の集積状態を検出する集積状態検出センサと、該集積状態検出センサにより集積異常が検出された単位枚数の媒体を再分離する再分離部と、該再分離部により再分離された媒体を前記一時集積部へ搬送する再集積搬送路とを設けたことを特徴とする。
【発明の効果】
【０００６】
これにより、本発明は、集積異常が検出された単位枚数の媒体を再分離部で再分離し、一時集積部に再集積して集積状態を正常に修復することができ、集積不良発生時のリカバリを施封処理を中止することなく実現して集積不良に起因する障害の発生を抑制することができ、紙幣施封装置の稼働率を向上させることができると共に、その係員の施封処理における負担を軽減することができるという効果が得られる。
【発明を実施するための最良の形態】
【０００７】
以下に、図面を参照して本発明による紙幣施封装置の実施例について説明する。
【実施例１】
【０００８】
図１は実施例１の紙幣施封装置の内部構成を示す概略側面図、図２は実施例１の紙幣施封装置を示すブロック図である。
図１、図２において、１は媒体施封装置としての紙幣施封装置であり、銀行等の金融機関や郵便局、および大型ディスカウント店等の流通業等（金融機関等という。）に設置される。
【０００９】
２は紙幣施封装置１の主制御部であり、紙幣施封装置１内の各部を制御して、媒体としての紙幣Ｐを、金種、正損等を鑑別して計数し、単位枚数の紙幣Ｐを集積し、この集積された媒体群としての紙幣群Ｐｔを紙帯で結束し、媒体束としての紙幣束Ｔを作成して排出する紙幣Ｐの施封処理等を実行する機能を有している。
本実施例の紙幣束Ｔを形成するための単位枚数は、１００枚に設定されている。
【００１０】
３は記憶部であり、主制御部２が実行するプログラムやそれに用いる各種のデータおよび主制御部２による処理結果等が格納される。
５は媒体搬送元としての投入口であり、金種等を整理する紙幣Ｐが係員等により投入され、投入された紙幣Ｐを下側から１枚毎に分離して繰出す分離機構６を有している。
７は鑑別部であり、投入口５から繰出され、搬送路８ａにより搬送された紙幣Ｐの真偽や正損、金種等を鑑別すると共に、連鎖、重送、斜行等の搬送異常を認識して搬送路８ｂへ搬出する機能、これらの鑑別結果等を主制御部２へ送出する機能等を有している。
【００１１】
なお、本実施例の搬送路８における紙幣Ｐの搬送は、紙幣Ｐの短手方向を搬送方向として行われる。
９は操作部であり、紙幣施封装置１の正面に設けられ、ＬＣＤ等の表示画面とタッチパネル等の入力手段との組合せで構成されており、表示画面に係員が行う各種の業務の選択ボタンや指示ボタン等を表示した業務選択画面や、紙幣Ｐの処理状態等を表示する他、入力手段により紙幣施封装置１を操作する係員からの入力を受付ける。
【００１２】
１１はリジェクト庫であり、搬送路８ｂから分岐した搬送路８ｃにより搬送された無効紙幣（鑑別部７で外国紙幣等のために鑑別できなかった紙幣Ｐや、偽券と鑑別された紙幣Ｐ等をいう。）を集積する。
１２は返却媒体集積部としてのオープンポケットであり、鑑別部７で搬送異常と認識された紙幣Ｐや、施封対象外の紙幣Ｐ等と鑑別された紙幣Ｐが、搬送路８ｃから分岐した搬送路８ｄにより搬送されて集積される。
【００１３】
１５は一時集積部であり、搬送路８ｂに接続する搬送路８ｅにより金種や正損レベルに応じて振分けられた単位枚数の紙幣Ｐを金種別、正損別に集積する。
本実施例では、一時集積部１５ａ〜１５ｄの４つの一時集積部１５が設けられている。
１７は集積機構であり、各一時集積部１５の搬入口に設けられたフィードローラとプレッシャローラおよび叩き車等で構成され、搬送路８ｅにより振分けられて搬送された紙幣Ｐを挟持してそれそれの一時集積部１５ａ〜１５ｄの内部に向けて放出し、そこに集積する機能を有している。
【００１４】
２０は移送部であり、一時集積部１５ａ〜１５ｄに集積されたの単位枚数の紙幣Ｐである紙幣群Ｐｔを当該一時集積部１５からそのまま引取って保持する束搬送路２１を有し、図示しない移動機構により、図１に矢印Ａで示す水平方向および矢印Ｂで示す垂直方向に移動可能に構成されており、後述する施封部３０または搬送路８ｆの受取ローラ３１に移送する機能を有している。
【００１５】
２３は各一時集積部１５に設けられた集積状態検出センサであり、集積された紙幣群Ｐｔの高さ方向に沿って光を照射する発光部と、その照射された光を検出する受光部とからなる光学式の２連のセンサであって、一時集積部１５に集積された紙幣群Ｐｔの搬送方向（移送部２０の束搬送路２１に引渡されるときの紙幣群Ｐｔの搬送方向をいう。）の前端よりも搬送方向の前方に、紙幣Ｐの長手方向に沿って並べて設置され、２つのセンサの光軸上を紙幣群Ｐｔが通過したときに、それぞれの受光部が遮光されるタイミングまたは再受光するタイミングの時間差により、紙幣群Ｐｔの一部の紙幣Ｐの先端および／もしくは後端のはみ出しを検出する機能を有しており、紙幣群Ｐｔの外形形状により紙幣群Ｐｔの集積状態を検出する。
【００１６】
２５は施封部であり、移送部２０により移送された紙幣群Ｐｔを受取部２６の束搬送路で受取り、これを紙帯で結束した紙幣束Ｔを媒体搬送先としての排出口２７から排出する機能を有している。
３０は移送部２０に設けられた再分離部であり、集積状態検出センサ２３により紙幣群Ｐｔの一部の紙幣Ｐのはみ出しが検出され、集積異常が検出された紙幣群Ｐｔが移送部２０の束搬送路２１により搬入され、この紙幣群Ｐｔを下側から１枚毎に分離して搬送路８ｆの受取ローラ３１へ引渡す、ピッカローラ３２ａ、フィードローラ３２ｂ、分離ローラ３２ｃからなる分離機構３２（図６参照）を有している。
【００１７】
本実施例の搬送路８ｆの受取ローラ３１は、各一時集積部１５に対応して４箇所に設けられており、再分離部３０の分離機構３２により分離されて各受取ローラ３１に引渡された紙幣Ｐは、搬送路８ｆ、８ｃ、８ｇ、鑑別部７、搬送路８ｅからなる再集積搬送路により、集積異常が検出された一時集積部１５に再集積される。
上記の搬送路８ａ〜８ｇは、ベルト対またはローラ対で紙幣Ｐを１枚ずつ挟持して搬送する搬送路８であって、それぞれの搬送路８の各分岐部には、図示しない切替ブレード等により紙幣Ｐの搬送方向を切替える切替機構が設けられている。
【００１８】
上記の紙幣施封装置１の記憶部３には、投入口５に投入された紙幣Ｐを、その金種別、正損別に複数の一時集積部１５にそれぞれ集積し、一時集積部１５に集積された紙幣Ｐが単位枚数になったときに、その紙幣群Ｐｔを移送部２０の束搬送路２１へ引渡し、これを束搬送路２１で保持して一時集積部１５から移送部２０により施封部２５へ移送し、紙幣群Ｐｔを紙帯で結束して紙幣束Ｔとして排出する機能を有する通常の施封処理プログラムに、集積状態検出センサ２３により紙幣群Ｐｔの集積異常が検出されたときに、紙幣群Ｐｔを再分離部３０へ搬入し、再集積搬送路により集積異常が検出された当該一時集積部１５へ搬送して再集積する再集積処理を行う機能を有するアプリケーションプログラム等が追加された業務処理実行プログラムが予め格納されており、主制御部２が実行する業務処理実行プログラムのステップにより本実施例の紙幣施封装置１のハードウェアとしての各機能手段が形成される。
【００１９】
また、記憶部３には、紙幣Ｐを紙幣束Ｔとする時の単位枚数が施封単位枚数として予め設定されて格納されると共に、各一時集積部１５に集積された紙幣Ｐの枚数を一時集積部１５別にカウントするカウント数記憶エリアが一時集積部１５別に確保されている。
以下に、図３に示すフローチャートを用い、Ｓで示すステップに従って本実施例の紙幣施封装置の施封処理について説明する。
【００２０】
金融機関等の係員が、始業時等に紙幣施封装置１へ電源を投入すると、紙幣施封装置１の記憶部３に格納されている業務処理実行プログラムが自動的に起動される。
Ｓ１、業務処理実行プログラムが起動すると、紙幣施封装置１の主制御部２は業務処理実行プログラムによりその操作部９の画面に施封する紙幣Ｐの整理モードに選択ボタンや金種、正損等の指示ボタン等を表示した業務選択画面を表示して待機する。
【００２１】
本実施例では、係員は２金種整理モードを選択し、投入口５に施封する金種を混合した紙幣Ｐをセットし、操作部９の画面から入力手段によってその開始ボタンを押下する。
本実施例では、１万円札および千円札をそれぞれ正損別に施封する２金種整理モードが選択され、一時集積部１５ａに損券の１万円紙幣、一時集積部１５ｂに正券の１万円紙幣、一時集積部１５ｃに損券の千円紙幣、一時集積部１５ｄに正券の千円紙幣がそれぞれ集積されるとして説明する。
【００２２】
Ｓ２、入力手段からの信号により係員が２金種整理モードを選択し、開始ボタンが押下されたことを認識した主制御部２は、投入口５の分離機構６により、セットされた紙幣Ｐの下側から１枚毎に分離した紙幣Ｐを搬送路８へ繰出して該当する一時集積部１５ａへ搬送する集積動作を開始する。
すなわち、主制御部２は記憶部３に格納されている施封単位枚数を読出すと共に、繰出した紙幣Ｐを搬送路８ａにより鑑別部７へ搬送し、鑑別部７により紙幣Ｐの真偽や正損、表裏、金種等を鑑別し、その鑑別結果が無効紙幣のときは、その紙幣Ｐを搬送路８ｂ、８ｃによりリジェクト庫１１へ搬送して集積する。
【００２３】
鑑別結果が、搬送異常と認識した紙幣Ｐや整理対象外の紙幣Ｐ（５千円紙幣または２千円紙幣）のときは、その紙幣Ｐを搬送路８ｂ、８ｃ、８ｆによりオープンポケット１２へ搬送して集積する。
主制御部２は、鑑別結果が整理対象の紙幣Ｐのときは、その紙幣Ｐの金種および正損の別により搬送先の一時集積部１５を特定し、記憶部３のカウント数記憶エリアの当該一時集積部１５（例えば損券の１万円紙幣の場合は一時集積部１５ａ）のカウント数に「１」を加えて当該一時集積部１５のカウント数を更新すると共に、その紙幣Ｐを搬送路８ｂ、８ｅにより特定した一時集積部１５（例えば一時集積部１５ａ）へ搬送し、その集積機構１７のフィードローラとプレッシャローラにより搬送された紙幣Ｐを挟持し、その紙幣Ｐを特定した一時集積部１５へ放出して集積する。
【００２４】
このようにして、紙幣Ｐがその金種および正損の別に応じてそれぞれの一時集積部１５に集積される。
Ｓ３、そして、主制御部２は、記憶部３のカウント数記憶エリアの一時集積部１５別のカウント数と、読出した施封単位枚数（本実施例では１００枚）とを一時集積部１５別に比較しながら、各一時集積部１５の集積状況を監視し、いずれか一つの一時集積部１５の集積枚数のカウント数が施封単位枚数となったときに、集積の完了を認識してステップＳ４へ移行する。
【００２５】
Ｓ４、いずれか一つの一時集積部１５の集積枚数が単位枚数となったことを認識した主制御部２は、集積動作を一旦停止し、移送部２０をＢ方向の移動機構によりに移動させて当該一時集積部１５と同じ高さに位置させ（当該一時集積部１５が、一時集積部１５ａの場合は図１に示す位置）、Ａ方向の移動機構により当該一時集積部１５の方向に移動させて当該一時集積部１５に近接させて停止させる。
【００２６】
移送部２０を当該一時集積部１５に近接させて停止させた主制御部２は、当該一時集積部１５に集積されている単位枚数の紙幣Ｐを、つまり紙幣群Ｐｔをまとめて集積状態検出センサ２３の方向に搬送してその光軸上を通過させ、近接して停止している移送部２０の束搬送路２１に引渡す。
このとき、主制御部２は集積状態検出センサ２３により、紙幣群Ｐｔの集積状態を検出する。
【００２７】
Ｓ５、主制御部２は、紙幣群Ｐｔの一部の紙幣Ｐのはみ出しを検出したときは、その紙幣群Ｐｔを集積異常と判定してステップＳ９へ移行する。
紙幣群Ｐｔにはみ出しが検出されなかったときは、その紙幣群Ｐｔを正常と判定してステップＳ６へ移行する。
Ｓ６、移送部２０へ引渡された紙幣群Ｐｔを正常と判定した主制御部２は、記憶部３のカウント数記憶エリアの当該一時集積部１５のカウント数を「０」にリセットし、当該一時集積部１５を含む全ての一時集積部１５への集積を再開すると共に、当該一時集積部１５から引渡された紙幣群Ｐｔを移送部２０の束搬送路２１により保持し、移送部２０をＡ方向の移動機構により当該一時集積部１５の逆方向に移動させ、Ｂ方向の移動機構により下方に移動させて施封部２５へ移送し、その受取部２６へ紙幣群Ｐｔを引渡す。
【００２８】
Ｓ７、受取部２６により紙幣群Ｐｔを受取った主制御部２は、施封部２５によりこれを紙帯で結束して紙幣束Ｔを作成する。
Ｓ８、紙幣束Ｔを作成した主制御部２は、図示しない束搬送路により紙幣束Ｔを排出口２７へ搬送し、排出口２７から外部へ排出する。
このようにして、本実施例の紙幣施封装置１により、２つの金種を正損別にそれぞれ単位枚数で施封する２金種整理モードの施封処理が行われ、投入口５に投入された全ての紙幣Ｐの紙幣束Ｔを作成し、最後の紙幣束Ｔの排出を確認して施封処理を終了させ、ステップＳ１へ戻って操作部９の画面に業務選択画面を表示して待機する。
【００２９】
Ｓ９、上記ステップＳ５において、施封処理の途中で、紙幣群Ｐｔの集積異常を検出し、移送部２０へ引渡された紙幣群Ｐｔを集積異常と判定した主制御部２は、当該一時集積部１５から引渡された紙幣群Ｐｔを移送部２０の束搬送路２１により保持し、再分離部３０が設けられた移送部２０をＡ方向の移動機構により、その高さに位置する受取ローラ３１の方向に移動させ、再分離部３０の分離機構３２を受取ローラ３１に近接させて停止させる。
【００３０】
そして、集積異常と判定された紙幣群Ｐｔを、束搬送路２１により移送部２０に設けられた再分離部３０に搬入する。
Ｓ１０、集積異常と判定された紙幣群Ｐｔを再分離部３０に搬入した主制御部２は、記憶部３のカウント数記憶エリアの集積異常が検出された当該一時集積部１５のカウント数を「０」にリセットし、再分離部３０の分離機構３２により、紙幣群Ｐｔを下側から１枚毎に分離して繰出し、繰出した紙幣Ｐを受取ローラ３１に受け渡して再集積搬送路により１枚ずつ当該一時集積部１５へ搬送する。
【００３１】
このとき、主制御部２は、紙幣Ｐが再集積搬送路の途中に設けられた鑑別部７を通過したときに、上記と同様にして記憶部３の当該一時集積部１５のカウント数記憶エリアにより再集積される紙幣Ｐの枚数を計数する。
Ｓ１１、そして、主制御部２は、記憶部３のカウント数記憶エリアの当該一時集積部１５のカウント数と、読出した施封単位枚数とを比較しながら、当該一時集積部１５の集積状況を監視し、当該一時集積部１５の集積枚数のカウント数が施封単位枚数より小さいときは、前記の再集積動作を継続する。
【００３２】
当該一時集積部１５の集積枚数のカウント数が施封単位枚数となったときに、再分離の終了を認識し、再集積動作を終了させてステップＳ４へ移行し、上記ステップＳ４による集積状態の検出を行う。
上記のように、本実施例の施封処理においては、集積異常が検出された紙幣群Ｐｔを再分離部３０で再分離し、当該一時集積部１５に再集積して集積状態を正常に修復するので、集積不良発生時のリカバリを施封処理を中止することなく実現することができ、集積不良に起因する障害の発生を抑制して、稼働率を向上させることができると共に、紙幣施封装置１に対する信頼性を向上させることができる。
【００３３】
また、集積不良発生時のリカバリが自動的に行われるので、係員は施封処理の間に、その付近に駐在している必要がなくなり、係員の負担を軽減することが可能になる。
なお、本実施例では、受取ローラ３１は各一時集積部１５に対応して複数箇所に設けるとして説明したが、受取ローラ３１を１箇所に設け、移送部２０をＡ方向、Ｂ方向に移動させて再分離部３０の分離機構３２を受取ローラ３１に近接させて停止させるようにしてもよい。
【００３４】
また、本実施例では、再集積搬送路は、搬送路８ｆ、８ｃ、８ｇ、鑑別部７、搬送路８ｅからなる搬送路８であるとして説明したが、搬送路８ｆと搬送路８ｅを接続するバイパス搬送路を設けて鑑別部７をバイパスして再分離された紙幣Ｐを当該一時集積部１５へ搬送するようにしてもよい。この場合にステップＳ１１における再分離の終了の判定は、再分離部３０に残留紙幣の検出センサを設け、これにより再分離部３０に残留紙幣が存在しなくなったことを検出して行う。
【００３５】
以上説明したように、本実施例では、紙幣施封装置に、集積された単位枚数の紙幣Ｐの集積状態を検出する集積状態検出センサと、集積状態検出センサにより集積異常が検出された単位枚数の紙幣Ｐを再分離する再分離部と、再分離部により再分離された紙幣Ｐを当該一時集積部へ搬送する再集積搬送路とを設けたことによって、集積異常が検出された紙幣群Ｐｔを再分離部で再分離し、当該一時集積部に再集積して集積状態を正常に修復することができ、集積不良発生時のリカバリを施封処理を中止することなく実現して集積不良に起因する障害の発生を抑制することができ、紙幣施封装置の稼働率を向上させることができると共に、その係員の施封処理における負担を軽減することができる。
【実施例２】
【００３６】
図４は実施例２の紙幣施封装置の内部構成を示す概略側面図、図５は実施例２の紙幣施封装置を示すブロック図、図６は実施例２の再分離部の内部構成を示す概略側面図である。
なお、上記実施例１と同様の部分は、同一の符号を付してその説明を省略する。
本実施例の再分離部３０は、図４に示すように、移送部２０から分離されて、再集積搬送路を構成する搬送路８ｆの端部で、最上位の一時集積部１５ａに対応する高さに位置を固定して設けられている。
【００３７】
また、再分離部３０には、図６に示すように、ピッカローラ３２ａ、フィードローラ３２ｂ、分離ローラ３２ｃからなる分離機構３２が設けられ、そのピッカローラ３２ａ上に搬入された紙幣群Ｐｔ上には、紙幣群Ｐｔの最下位の紙幣Ｐをピッカローラ３２ａに押圧するためのビルプレス４１が設けられている。
図５、図６において、４３は外形異常検出センサであり、数枚程度の紙幣Ｐを透過する強い光を照射する発光部とその透過した光の明度を検出する受光部とからなる光学式の２連のセンサであって、ピッカローラ３２ａ上に搬入された紙幣群Ｐｔの図６に矢印Ｃで示す搬送方向の後端の高さ方向に沿って光軸が延びるように設置され、それぞれの受光部が受光した光の明度によって、紙幣群Ｐｔからの紙幣Ｐの後端のはみ出しの有無を検出する機能を有しており、紙幣群Ｐｔの外形形状により集積異常の原因となった紙幣Ｐ（不良紙幣Ｑという。）を検出する。
【００３８】
４４は搬送路８ｆに設けられた長さ異常検出センサであり、搬送路８ｆを搬送される紙幣Ｐの鉛直方向に沿って光を照射する発光部と、その照射された光を検出する受光部とからなる光学式のセンサであって、センサの光軸上を紙幣Ｐが通過したときに、受光部が遮光されるタイミングから再受光するタイミングまでの通過時間により、紙幣Ｐの搬送方向の長さを検出する機能を有しており、紙幣Ｐの搬送方向の長さにより不良紙幣Ｑ、つまり紙幣Ｐが分離機構３２のフィードローラ３２ｂ側にはみ出した紙幣Ｐの前端が分離ローラ３２ｃ等に突き当てられ、折れた状態で搬送される紙幣Ｐを検出する。
【００３９】
本実施例の紙幣施封装置１の記憶部３には、上記実施例１と同様の施封処理プログラムに、実施例１と同様の再集積処理を行う機能を有するアプリケーションプログラム、並びに外形異常検出センサ４３および長さ異常検出センサ４４により不良紙幣Ｑが検出されたときに、その不良紙幣Ｑをリジェクト庫へ搬送して集積する不良紙幣除去処理を行う機能を有するアプリケーションプログラム等が追加された業務処理実行プログラムが予め格納されており、主制御部２が実行する業務処理実行プログラムのステップにより本実施例の紙幣施封装置１のハードウェアとしての各機能手段が形成される。
【００４０】
また、記憶部３には、実施例１と同様の施封単位枚数、および長さ異常検出センサ４４により不良紙幣Ｑを判定するための正常な紙幣の平均的な通過時間に所定のばらつき代を設定した標準通過時間の下限時間と上限時間が予め設定されて格納されると共に、実施例１と同様のカウント数記憶エリアが確保されている。
以下に、図７に示すフローチャートを用い、ＳＡで示すステップに従って本実施例の紙幣施封装置の施封処理について説明する。
【００４１】
本実施例のステップＳＡ１〜ＳＡ８の作動は、上記実施例１のステップＳ１〜Ｓ８の作動と同様であるので、その説明を省略する。
ＳＡ９、上記ステップＳＡ５において、施封処理の途中で、紙幣群Ｐｔの集積異常を検出し、移送部２０へ引渡された紙幣群Ｐｔを集積異常と判定した主制御部２は、当該一時集積部１５から引渡された紙幣群Ｐｔを移送部２０の束搬送路２１により保持し、移送部２０をＡ方向およびＢ方向の移動機構により移動させ、移送部２０を搬送路８ｆの端部に設けられた再分離部３０にその高さを合せ、近接させて停止させる。
【００４２】
そして、集積異常と判定された紙幣群Ｐｔを、束搬送路２１により再分離部３０に搬入する。
ＳＡ１０、集積異常と判定された紙幣群Ｐｔを再分離部３０に搬入した主制御部２は、記憶部３に格納されている標準通過時間の下限時間と上限時間を読出すと共に、記憶部３のカウント数記憶エリアの集積異常が検出された当該一時集積部１５のカウント数を「０」にリセットし、再分離部３０の分離機構３２により、紙幣群Ｐｔを下側から１枚毎に分離して搬送路８ｆへ繰出す。
【００４３】
ＳＡ１１、この紙幣Ｐの繰出しのときに、主制御部２は、再分離部３０に設けられた外形異常検出センサ４３により受光部が検出する明度変化を監視し、図６に示すように、後端がはみ出した不良紙幣Ｑが存在するときは、その紙幣Ｐが繰出されるときに、２連のセンサのいずれかの受光部が検出した明度が明るくなる方向に変化し、この明度変化によりその紙幣Ｐを不良紙幣Ｑと判定してステップＳＡ１３へ移行する。明度変化を検出しない場合はステップＳＡ１２へ移行する。
【００４４】
ＳＡ１２、主制御部２は、搬送路８ｆに設けられた長さ異常検出センサ４４により繰出された紙幣Ｐの通過時間を監視し、その通過時間と読出した標準通過時間の下限時間および上限時間とを比較し、この比較結果が下限時間より短いとき、または上限時間より長いときに、その紙幣Ｐを不良紙幣Ｑと判定してステップＳＡ１３へ移行する。紙幣Ｐの通過時間が下限時間以上、上限時間以下の時間範囲の場合はステップＳＡ１４へ移行する。
【００４５】
ＳＡ１３、不良紙幣Ｑを検出した主制御部２は、その不良紙幣Ｑを搬送路８ｆ、８ｃによりリジェクト庫１１へ搬送して集積する。
これにより、不良紙幣Ｑ、つまり紙幣群Ｐｔの集積不良の原因となった紙幣Ｐが、無効紙幣としてリジェクト庫１１へ集積される。
上記のステップＳＡ１１〜ＳＡ１３における不良紙幣除去処理のときに、不良紙幣Ｑと判定されなった紙幣Ｐは、再集積搬送路により１枚ずつ当該一時集積部１５へ搬送し、その紙幣Ｐが再集積搬送路の途中に設けられた鑑別部７を通過したときに、実施例１のステップＳ１０と同様にして、記憶部３の当該一時集積部１５のカウント数記憶エリアにより再集積される紙幣Ｐの枚数を計数する。
【００４６】
ＳＡ１４、主制御部２は、長さ異常検出センサ４４が紙幣Ｐの通過を検出しなくなってから一定の時間を経過しても次の紙幣Ｐの通過を検出しないことにより、再分離の終了を認識し、再集積動作を終了させてステップＳＡ１５へ移行する。定期的に紙幣Ｐの通過を検出しているときは、前記の再集積動作を継続する。
ＳＡ１５、再分離が終了したことを認識した主制御部２は、記憶部３のカウント数記憶エリアの当該一時集積部１５のカウント数と施封単位枚数とを読出し、施封単位枚数から当該一時集積部１５のカウント数を減じて不足枚数を演算する。
【００４７】
そして、上記ステップＳＡ２と同様の集積動作を再開し、投入口５から演算した不足枚数の紙幣Ｐが当該一時集積部１５に集積され、その集積枚数が施封単位枚数になったときにステップＳＡ４へ移行し、上記ステップＳＡ４による集積状態の検出を行う。
上記のように、本実施例の施封処理においては、集積異常が検出された紙幣群Ｐｔの集積異常の原因となった紙幣Ｐを、外形異常検出センサ４３および長さ異常検出センサ４４により検出してリジェクト庫１１へ集積し、不良紙幣Ｑを無効紙幣として除去し、不足枚数の紙幣Ｐを投入口５から追加するようにしたので、集積不良発生時のリカバリを施封処理を中止することなく実現することができ、再集積における集積不良の発生を抑制して、稼働率を更に向上させることができると共に、紙幣施封装置１に対する信頼性を更に向上させることができる。
【００４８】
このことは、紙幣Ｐの劣化度合いによっては、搬送時には正常であっても集積時に集積異常が発生する場合があり、このような集積異常の場合の不良紙幣Ｑの除去に特に有効である。
また、集積不良発生時のリカバリが自動的に行われるので、係員は施封処理の間に、その付近に駐在している必要がなくなり、係員の負担を軽減することが可能になる。
【００４９】
なお、本実施例では、再分離部３０は１箇所に設けるとして説明したが、実施例１と同様に複数箇所に設るようにしてもよい。
以上説明したように、本実施例では、上記実施例１と同様の効果に加えて、外形異常検出センサおよび長さ異常検出センサにより集積異常が検出された紙幣群Ｐｔの集積異常の原因となった紙幣Ｐを検出し、検出された不良紙幣Ｑをリジェクト庫へ集積するようにしたことによって、不良紙幣Ｑを無効紙幣として除去することができ、再分離部により再分離された紙幣Ｐを当該一時集積部へ再集積するときの集積不良を抑制して紙幣施封装置の稼働率を更に向上させることができる。
【実施例３】
【００５０】
図８は実施例３の紙幣施封装置の施封処理を示すフローチャートである。
なお、上記実施例１と同様の部分は、同一の符号を付してその説明を省略する。
本実施例の紙幣施封装置１の構成は、上記実施例２と同様である。
本実施例の紙幣施封装置１の記憶部３には、上記実施例１と同様の施封処理プログラムに、実施例１と同様の再集積処理を行う機能を有するアプリケーションプログラム、並びに外形異常検出センサ４３および長さ異常検出センサ４４により不良紙幣Ｑが検出されたときに、その不良紙幣Ｑをオープンポケット１２へ搬送して集積し係員に返却する不良紙幣返却処理を行う機能を有するアプリケーションプログラム等が追加された業務処理実行プログラムが予め格納されており、主制御部２が実行する業務処理実行プログラムのステップにより本実施例の紙幣施封装置１のハードウェアとしての各機能手段が形成される。
【００５１】
また、記憶部３には、実施例１と同様の施封単位枚数、および実施例２と同様の標準通過時間の下限時間と上限時間が予め設定されて格納されると共に、実施例１と同様のカウント数記憶エリアが確保されている。
以下に、図８に示すフローチャートを用い、ＳＢで示すステップに従って本実施例の紙幣施封装置の施封処理について説明する。
【００５２】
本実施例のステップＳＢ１〜ＳＢ１０の作動は、上記実施例２のステップＳＡ１〜ＳＡ１０の作動と同様であるので、その説明を省略する。
ＳＢ１１、この紙幣Ｐの繰出しのときに、主制御部２は、上記実施例２のステップＳＡ１１と同様にして、外形異常検出センサ４３により明度変化を監視し、明度変化を検出したことによりその紙幣Ｐを不良紙幣Ｑと判定してステップＳＢ１３へ移行する。明度変化を検出しない場合はステップＳＢ１２へ移行する。
【００５３】
ＳＢ１２、主制御部２は、実施例２のステップＳＡ１２と同様にして、長さ異常検出センサ４４により繰出された紙幣Ｐの通過時間を、標準通過時間の下限時間および上限時間と比較しながら監視し、通過時間が下限時間より短いとき、または上限時間より長いときに、その紙幣Ｐを不良紙幣Ｑと判定してステップＳＢ１３へ移行する。紙幣Ｐの通過時間が下限時間以上、上限時間以下の時間範囲の場合はステップＳＢ１４へ移行する。
【００５４】
ＳＢ１３、不良紙幣Ｑを検出した主制御部２は、その不良紙幣Ｑを搬送路８ｆ、８ｃ、８ｄによりオープンポケット１２へ搬送して集積する。
これにより、不良紙幣Ｑ、つまり紙幣群Ｐｔの集積不良の原因となった紙幣Ｐが、係員に返却可能な状態でオープンポケット１２へ集積される。
上記のステップＳＢ１１〜ＳＢ１３における不良紙幣返却処理のときに、不良紙幣Ｑと判定されなった紙幣Ｐは、実施例２と同様にして、当該一時集積部１５へ搬送され、その再集積される紙幣Ｐの枚数が計数される。
【００５５】
ＳＢ１４、主制御部２は、実施例２のステップＳＡ１４と同様にして、再分離の終了を認識し、再集積動作を終了させてステップＳＢ１５へ移行する。定期的に紙幣Ｐの通過を検出しているときは、前記の再集積動作を継続する。
ＳＢ１５、再分離が終了したことを認識した主制御部２は、オープンポケット１２を開放して不良紙幣Ｑを係員に返却すると共に、記憶部３のカウント数記憶エリアの当該一時集積部１５のカウント数と施封単位枚数とを読出し、施封単位枚数から当該一時集積部１５のカウント数を減じて不足枚数を演算する。
【００５６】
そして、操作部９の画面に、演算した不足枚数および、当該一時集積部１５に集積される紙幣の種別、つまり金種と正損の別を表示すると共に、係員に対して紙幣Ｐの不良の度合いや業務内容に応じた不良紙幣の取扱い（状態の確認、破棄、再投入可能等）の誘導画面を表示する。
ＳＢ１６、係員は誘導画面を参照して返却された紙幣Ｐの再投入等を行い、操作部９の画面から入力手段によって再開ボタンを押下する。
【００５７】
これを入力手段からの信号により認識した主制御部２は、上記ステップＳＢ２と同様の集積動作を再開し、投入口５から演算した不足枚数の紙幣Ｐが当該一時集積部１５に集積され、その集積枚数が施封単位枚数になったときにステップＳＢ４へ移行し、上記ステップＳＢ４による集積状態の検出を行う。
上記のように、本実施例の施封処理においては、集積異常が検出された紙幣群Ｐｔの集積異常の原因となった紙幣Ｐを、外形異常検出センサ４３および長さ異常検出センサ４４により検出してオープンポケット１２へ集積して除去し、不足枚数の紙幣Ｐを投入口５から追加するようにしたので、集積不良発生時のリカバリを施封処理を中止することなく実現することができ、再集積における集積不良の発生を抑制して、稼働率を更に向上させることができると共に、紙幣施封装置１に対する信頼性を更に向上させることができる。
【００５８】
また、集積不良発生時に除去した不良紙幣Ｑを係員に返却し、その不良紙幣Ｑに対する取扱いを係員に対して誘導するので、係員の負担を軽減することができると共に、不良紙幣Ｑを無効紙幣とする以外に、不良紙幣Ｑの取扱いの選択肢を広げることができ、紙幣施封装置１としての柔軟性を向上させることができる。
以上説明したように、本実施例では、上記実施例１と同様の効果に加えて、外形異常検出センサおよび長さ異常検出センサにより集積異常が検出された紙幣群Ｐｔの集積異常の原因となった紙幣Ｐを検出し、検出された不良紙幣Ｑをオープンポケットへ集積して係員に返却するようにしたことによって、不良紙幣Ｑを除去することができ、再分離部により再分離された紙幣Ｐを当該一時集積部へ再集積するときの集積不良を抑制して紙幣施封装置の稼働率を更に向上させることができる。
【００５９】
上記各実施例においては、集積状態検出センサは、光学式の２連のセンサであるとして説明したが、実施例２等の外形異常検出センサを集積状態検出センサとして用いるようにしてもよく、ＣＣＤセンサで紙幣群Ｐｔの全体、または一部の画像を取得し、画像解析により紙幣群Ｐｔの外形を検出するようにしても、２連センサのＯＦＦ→ＯＮ、およびＯＮ→ＯＦＦのタイミングの時間差により、紙幣群Ｐｔにおける短手方向の長さを測定し、その時間差により紙幣群Ｐｔの外形を判定するようにしてもよい。
【００６０】
また、上記各実施例においては、紙幣Ｐは投入口から１枚毎に分離されて繰出されるとして説明したが、複数の金種の紙幣Ｐを複数枚格納した補充回収カセット等を紙幣施封装置に装着し、補充回収カセット等の分離機構により１枚毎に分離して繰出すようにしてもよい。
更に、上記各実施例においては、集積状態検出センサは各一時集積部に設けるとして説明したが、施封部の受取部等に集積状態検出センサを設置して１箇所に設けるようにしてもよい。この場合に集積異常を検出したときは、受取部を逆転させて移送部へ集積異常が検出された紙幣群Ｐｔを引渡し、上記各実施例と同様にして、移送部により再集積部へ搬入して再集積動作を行うようにする。
【００６１】
更に、上記各実施例においては、媒体施封装置を紙幣施封装置として説明したが、媒体施封装置が施封する媒体は紙幣Ｐに限らず、商品券や金券、チケット、カード、切符等であってもよい。このような媒体を単位枚数で結束して媒体束として排出する媒体施封装置に本発明を適用すれば、上記と同様の効果が得ることができる。
【図面の簡単な説明】
【００６２】
【図１】実施例１の紙幣施封装置の内部構成を示す概略側面図
【図２】実施例１の紙幣施封装置を示すブロック図
【図３】実施例１の紙幣施封装置の施封処理を示すフローチャート
【図４】実施例２の紙幣施封装置の内部構成を示す概略側面図
【図５】実施例２の紙幣施封装置を示すブロック図
【図６】実施例２の再分離部の内部構成を示す概略側面図
【図７】実施例２の紙幣施封装置の施封処理を示すフローチャート
【図８】実施例３の紙幣施封装置の施封処理を示すフローチャート
【符号の説明】
【００６３】
１    紙幣施封装置
２    主制御部
３    記憶部
５    投入口
６、３２  分離機構
７    鑑別部
８ａ〜８ｇ  搬送路
９    操作部
１１  リジェクト庫
１２  オープンポケット
１５、１５ａ〜１５ｄ  一時集積部
１７  集積機構
２０  移送部
２１  束搬送路
２３  集積状態検出センサ
２５  施封部
２６  受取部
２７  排出口
３０  再分離部
３１  受取ローラ
３２ａ  ピッカローラ
３２ｂ  フィードローラ
３２ｃ  分離ローラ
４１  ビルプレス
４３  外形異常検出センサ
４４  長さ異常検出センサ
【図１】
2008059049.tif 000003
【図２】
2008059049.tif 000004
【図３】
2008059049.tif 000005
【図４】
2008059049.tif 000006
【図５】
2008059049.tif 000007
【図６】
2008059049.tif 000008
【図７】
2008059049.tif 000009
【図８】
2008059049.tif 000010